(57)【要約】【課題】リソースブロックにおいてデータ復調専用基準信号が利用するリソース要素のロケーションを決定することに用いられる信号リソース決定方法を提供する。【解決手段】本発明は、信号リソース決定方法を開示する。当該方法は、データ復調専用基準信号を、直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにおけるリソース要素（ＲＥ：Ｒｅｓｏｕｒｃｅ  Ｅｌｅｍｅｎｔ）により搬送する。前記ＯＦＤＭシンボルは、リソースブロック（ＲＢ：Ｒｅｓｏｕｒｃｅ  Ｂｌｏｃｋ）内の非制御チャネル領域に位置し、非共通基準信号を搬送する。【選択図】図２（Ａ）
2013502110.tif 000002
【特許請求の範囲】
【請求項１】
データ復調専用基準信号を、直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにおけるリソース要素（ＲＥ：Ｒｅｓｏｕｒｃｅ  Ｅｌｅｍｅｎｔ）により搬送し、
前記ＯＦＤＭシンボルは、リソースブロック（ＲＢ：Ｒｅｓｏｕｒｃｅ  Ｂｌｏｃｋ）内の非制御チャネル領域に位置し、非共通基準信号を搬送する
信号リソース決定方法。
【請求項２】
前記非制御チャネル領域に位置し、非共通基準信号を搬送するＯＦＤＭシンボルは、前記ＲＢ内の各サブキャリアの６番目、７番目、１０番目、１１番目、１３番目及び１４番目のＯＦＤＭシンボルを含む
請求項１に記載の方法。
【請求項３】
前記データ復調専用基準信号を搬送するステップの前に、さらに、
異なる階層数に応じて、複数種類への分類を行い、
異なる種類のそれぞれについて、前記データ復調専用基準信号のロケーションを決定する
請求項１に記載の方法。
【請求項４】
前記異なる階層数に応じて分類を行うステップは、
階層数が１〜２の場合は第１類、階層数３以上の場合は第２類となるように、前記異なる階層数に応じて２種類に分類し、又は
階層数が１〜２の場合は第１類、階層数が３〜４の場合は第２類、階層数が５以上の場合は第３類となるように、前記異なる階層数に応じて３種類に分類し、
同一種類の異なる複数の階層における複数の前記データ復調専用基準信号のオーバーヘッドは同じであり、
同一種類の複数の前記データ復調専用基準信号が使用する複数のＲＥの相対的二次元時間周波数ロケーションは、同一関係、移動関係又は対称関係である
請求項３に記載の方法。
【請求項５】
前記異なる階層数に応じて分類を行うステップは、さらに、
前記異なる階層数に応じて２種類に分類し、第１類の全ての階層におけるデータ復調専用基準信号の総オーバーヘッドが１２個のＲＥであり、第２類の全ての階層におけるデータ復調専用基準信号の総オーバーヘッドが２４個のＲＥである、又は
前記異なる階層数に応じて３種類に分類し、第１類の全ての階層におけるデータ復調専用基準信号の総オーバーヘッドが１２個のＲＥであり、第２類の全ての階層におけるデータ復調専用基準信号の総オーバーヘッドが１２個又は２４個のＲＥであり、第３類の全ての階層におけるデータ復調専用基準信号の総オーバーヘッドが２４個のＲＥである
請求項４に記載の方法。
【請求項６】
前記異なる階層数に応じて分類を行うステップは、さらに、
同一種類の異なる複数の階層におけるデータ復調専用基準信号を、符号分割多重化方式を用いて多重化し、
前記符号分割多重化で利用される直交符号がＷａｌｓｈ直交符号であり、前記符号分割多重化の次数が２のべき乗である
請求項４に記載の方法。
【請求項７】
各前記直交符号の長さは、前記符号分割多重化の次数と等しく、各前記直交符号の長さは、使用されるＲＥの数と等しい
請求項６に記載の方法。
【請求項８】
前記異なる階層数に応じて分類を行うステップは、さらに、
実際に使用される階層数が、同一種類における符号分割多重化の次数未満である場合、各階層のデータ復調専用基準信号パワーを増加させる
請求項７に記載の方法。
【請求項９】
前記データ復調専用基準信号のインデックスは、種類及び直交符号インデックスによって一意に決まる階層におけるデータ復調専用基準信号の物理リソースである
請求項７に記載の方法。
【請求項１０】
前記異なる階層数に応じて分類を行うステップは、
前記異なる階層数に応じて２種類に分類し、
前記第１類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア、
又は
６番目、７番目、１３番目及び１４番目のＯＦＤＭシンボルの２番目のサブキャリア、
６番目、７番目、１３番目及び１４番目のＯＦＤＭシンボルの７番目のサブキャリア、及び
６番目、７番目、１３番目及び１４番目のＯＦＤＭシンボルの１２番目のサブキャリアであり、
前記第２類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア、
又は
６番目、７番目、１３番目及び１４番目のＯＦＤＭシンボルの１番目のサブキャリア、
６番目、７番目、１３番目及び１４番目のＯＦＤＭシンボルの２番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１１番目のサブキャリア、及び
６番目、７番目、１３番目及び１４番目のＯＦＤＭシンボルの１２番目のサブキャリアである
請求項５に記載の方法。
【請求項１１】
前記異なる階層数に応じて分類を行うステップは、
前記異なる階層数に応じて２種類に分類し、
前記第１類において、隣接する２つのＲＥに対して二次（ｔｗｏ−ｏｒｄｅｒ）Ｗａｌｓｈ直交符号を用いて前記符号分割多重化を行い、２つの階層の複数のデータ復調専用基準信号をそれぞれ対応させ、
前記第２類の２４個のＲＥを、それぞれ４個のＲＥを含む６組に分類し、前記６組は、
第１組が、６番目及び７番目のＯＦＤＭシンボルの２番目のサブキャリア、及び６番目及び７番目のＯＦＤＭシンボルの３番目のサブキャリアであり、
第２組が、１３番目及び１４番目のＯＦＤＭシンボルの２番目のサブキャリア、及び１３番目及び１４番目のＯＦＤＭシンボルの３番目のサブキャリアであり、
第３組が、６番目及び７番目のＯＦＤＭシンボルの６番目のサブキャリア、及び６番目及び７番目のＯＦＤＭシンボルの７番目のサブキャリアであり、
第４組が、１３番目及び１４番目のＯＦＤＭシンボルの６番目のサブキャリア、及び１３番目及び１４番目のＯＦＤＭシンボルの７番目のサブキャリアであり、
第５組が、６番目及び７番目のＯＦＤＭシンボルの１０番目のサブキャリア、及び６番目及び７番目のＯＦＤＭシンボルの１１番目のサブキャリアであり、及び
第６組が、１３番目及び１４番目のＯＦＤＭシンボルの１０番目のサブキャリア、及び１３番目及び１４番目のＯＦＤＭシンボルの１１番目のサブキャリアであり、
又は
第１組が、６番目、７番目、１３番目及び１４番目のＯＦＤＭシンボルの２番目のサブキャリアであり、
第２組が、６番目、７番目、１３番目及び１４番目のＯＦＤＭシンボルの３番目のサブキャリアであり、
第３組が、６番目、７番目、１３番目及び１４番目のＯＦＤＭシンボルの６番目のサブキャリアであり、
第４組が、６番目、７番目、１３番目及び１４番目のＯＦＤＭシンボルの７番目のサブキャリアであり、
第５組が、６番目、７番目、１３番目及び１４番目のＯＦＤＭシンボルの１０番目のサブキャリアであり、及び
第６組が、６番目、７番目、１３番目及び１４番目のＯＦＤＭシンボルの１１番目のサブキャリアであり、
もしくは
第１組が、６番目、７番目、１３番目及び１４番目のＯＦＤＭシンボルの１番目のサブキャリアであり、
第２組が、６番目、７番目、１３番目及び１４番目のＯＦＤＭシンボルの２番目のサブキャリアであり、
第３組が、６番目、７番目、１３番目及び１４番目のＯＦＤＭシンボルの６番目のサブキャリアであり、
第４組が、６番目、７番目、１３番目及び１４番目のＯＦＤＭシンボルの７番目のサブキャリアであり、
第５組が、６番目、７番目、１３番目及び１４番目のＯＦＤＭシンボルの１１番目のサブキャリアであり、及び
第６組が、６番目、７番目、１３番目及び１４番目のＯＦＤＭシンボルの１２番目のサブキャリアであり、
第１階層、第３階層、第５階層及び第７階層に対応するデータ復調専用基準信号を、第１組、第４組及び第５組により搬送し、第２階層、第４階層、第６階層及び第８階層に対応するデータ復調専用基準信号を、第２組、第３組及び第６組により搬送し、
第１階層、第３階層、第５階層及び第７階層に対応するデータ復調専用基準信号を、第２組、第３組及び第６組により搬送し、第２階層、第４階層、第６階層及び第８階層に対応するデータ復調専用基準信号を、第１組、第４組及び第５組により搬送し、又は
第１階層、第２階層、第５階層及び第７階層に対応するデータ復調専用基準信号を、第２組、第４組及び第６組により搬送し、第３階層、第４階層、第６階層及び第８階層に対応するデータ復調専用基準信号を、第１組、第３組及び第５組により搬送し、
同一組内の４つの階層に対応する複数のデータ復調専用基準信号に対して、四次（ｆｏｕｒ−ｏｒｄｅｒ）Ｗａｌｓｈ直交符号を用いて前記符号分割多重化を行う
請求項１０に記載の方法。
【請求項１２】
前記異なる階層数に応じて分類を行うステップは、
前記異なる階層数に応じて２種類に分類し、
前記第１類の、データ復調専用基準信号の前記ＲＢ内でのロケーションは、
６番目、７番目、１３番目及び１４番目のＯＦＤＭシンボルの１番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１１番目のサブキャリアであり、
前記第２類の、データ復調専用基準信号の前記ＲＢ内でのロケーションは、
６番目、７番目、１３番目及び１４番目のＯＦＤＭシンボルの１番目のサブキャリア、
６番目、７番目、１３番目及び１４番目のＯＦＤＭシンボルの２番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１１番目のサブキャリア、及び
６番目、７番目、１３番目及び１４番目のＯＦＤＭシンボルの１２番目のサブキャリアである
請求項５に記載の方法。
【請求項１３】
前記異なる階層数に応じて分類を行うステップは、
前記異なる階層数に応じて２種類に分類し、
前記第１類において、隣接する２つのＲＥに対して二次Ｗａｌｓｈ直交符号を用いて前記符号分割多重化を行い、２つの階層の複数のデータ復調専用基準信号をそれぞれ対応させ、
前記第２類における２４個のＲＥを、それぞれ４個のＲＥを含む６組に分類し、前記６組は、
第１組が、６番目及び７番目のＯＦＤＭシンボルの１番目のサブキャリア、及び６番目及び７番目のＯＦＤＭシンボルの２番目のサブキャリアであり、
第２組が、１３番目及び１４番目のＯＦＤＭシンボルの１番目のサブキャリア、及び１３番目及び１４番目のＯＦＤＭシンボルの２番目のサブキャリアであり、
第３組が、６番目及び７番目のＯＦＤＭシンボルの６番目のサブキャリア、及び６番目及び７番目のＯＦＤＭシンボルの７番目のサブキャリアであり、
第４組が、１３番目及び１４番目のＯＦＤＭシンボルの６番目のサブキャリア、及び１３番目及び１４番目のＯＦＤＭシンボルの７番目のサブキャリアであり、
第５組が、６番目及び７番目のＯＦＤＭシンボルの１１番目のサブキャリア、及び６番目及び７番目のＯＦＤＭシンボルの１２番目のサブキャリアであり、及び
第６組が、１３番目及び１４番目のＯＦＤＭシンボルの１１番目のサブキャリア、及び１３番目及び１４番目のＯＦＤＭシンボルの１２番目のサブキャリアであり、
第１階層、第３階層、第５階層及び第７階層に対応するデータ復調専用基準信号を、第１組、第４組及び第５組により搬送し、第２階層、第４階層、第６階層及び第８階層に対応するデータ復調専用基準信号を、第２組、第３組及び第６組により搬送し、又は
第１階層、第３階層、第５階層及び第７階層に対応するデータ復調専用基準信号を、第２組、第３組及び第６組により搬送し、第２階層、第４階層、第６階層及び第８階層に対応するデータ復調専用基準信号を、第１組、第４組及び第５組により搬送し、
同一組内の４つの階層に対応する複数のデータ復調専用基準信号に対して、四次Ｗａｌｓｈ直交符号を用いて前記符号分割多重化を行う
請求項１２に記載の方法。
【請求項１４】
前記異なる階層数に応じて分類を行うステップは、
前記異なる階層数に応じて３種類に分類し、
前記第１類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリアであり、
前記第２類において、データ復調専用基準信号は、前記ＲＢ内の１２個のＲＥを使用し、前記第２類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリアであり、
前記第２類において、データ復調専用基準信号は、前記ＲＢ内の２４個のＲＥを使用し、前記第２類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリアであり、
前記第３類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリアである
請求項５に記載の方法。
【請求項１５】
前記異なる階層数に応じて分類を行うステップは、
前記異なる階層数に応じて３種類に分類し、
前記第１類において、隣接する２つのＲＥに対して二次Ｗａｌｓｈ直交符号を用いて前記符号分割多重化を行い、２つの階層の複数のデータ復調専用基準信号をそれぞれ対応させ、
前記第２類において、データ復調専用基準信号は、前記ＲＢ内の１２個のＲＥを使用し、
前記１２個のＲＥを、それぞれ２個のＲＥを含む６組に分類し、前記６組は、
第１組が、６番目及び７番目のＯＦＤＭシンボルの２番目のサブキャリアであり、
第２組が、１３番目及び１４番目のＯＦＤＭシンボルの２番目のサブキャリアであり、
第３組が、６番目及び７番目のＯＦＤＭシンボルの６番目のサブキャリアであり、
第４組が、１３番目及び１４番目のＯＦＤＭシンボルの６番目のサブキャリアであり、
第５組が、６番目及び７番目のＯＦＤＭシンボルの１０番目のサブキャリアであり、及び
第６組が、１３番目及び１４番目のＯＦＤＭシンボルの１０番目のサブキャリアであり、
第１階層及び第３階層に対応するデータ復調専用基準信号を、第１組、第４組及び第５組により搬送し、第２階層及び第４階層に対応するデータ復調専用基準信号を、第２組、第３組及び第６組により搬送し、又は
第１階層及び第３階層に対応するデータ復調専用基準信号を、第２組、第３組及び第６組により搬送し、第２階層及び第４階層に対応するデータ復調専用基準信号を、第１組、第４組及び第５組により搬送し、
同一組内の２つの階層に対応する複数のデータ復調専用基準信号に対して、二次Ｗａｌｓｈ直交符号を用いて前記符号分割多重化を行い、
前記第２類において、データ復調専用基準信号は、前記ＲＢ内の２４個のＲＥを使用し、隣接する４つのＲＥに対して四次Ｗａｌｓｈ直交符号を用いて前記符号分割多重化を行い、４つの階層のデータ復調専用基準信号をそれぞれ対応させ、
前記第２類における２４個のＲＥを、それぞれ４個のＲＥを含む６組に分類し、前記６組は、
第１組が、６番目及び７番目のＯＦＤＭシンボルの２番目のサブキャリア、及び６番目及び７番目のＯＦＤＭシンボルの３番目のサブキャリアであり、
第２組が、１３番目及び１４番目のＯＦＤＭシンボルの２番目のサブキャリア、及び１３番目及び１４番目のＯＦＤＭシンボルの３番目のサブキャリアであり、
第３組が、６番目及び７番目のＯＦＤＭシンボルの６番目のサブキャリア、及び６番目及び７番目のＯＦＤＭシンボルの７番目のサブキャリアであり、
第４組が、１３番目及び１４番目のＯＦＤＭシンボルの６番目のサブキャリア、及び１３番目及び１４番目のＯＦＤＭシンボルの７番目のサブキャリアであり、
第５組が、６番目及び７番目のＯＦＤＭシンボルの１０番目のサブキャリア、及び６番目及び７番目のＯＦＤＭシンボルの１１番目のサブキャリアであり、及び
第６組が、１３番目及び１４番目のＯＦＤＭシンボルの１０番目のサブキャリア、及び１３番目及び１４番目のＯＦＤＭシンボルの１１番目のサブキャリアであり、
第１階層、第３階層、第５階層及び第７階層に対応するデータ復調専用基準信号を、第１組、第４組及び第５組により搬送し、第２階層、第４階層、第６階層及び第８階層に対応するデータ復調専用基準信号を、第２組、第３組及び第６組により搬送し、又は
第１階層、第３階層、第５階層及び第７階層に対応するデータ復調専用基準信号を、第２組、第３組及び第６組により搬送し、第２階層、第４階層、第６階層及び第８階層に対応するデータ復調専用基準信号を、第１組、第４組及び第５組により搬送し、
同じ組における４つの階層に対応するデータ復調専用基準信号に対して四次Ｗａｌｓｈ直交符号を用いて前記符号分割多重化を行う
請求項１４に記載の方法。
【発明の詳細な説明】
【技術分野】
【０００１】
本発明は、移動通信における基準信号の分野に関し、特に、信号リソース決定方法に関する。
【背景技術】
【０００２】
直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：ＯＦＤＭ）技術は、マルチキャリア変調通信技術である。ＯＦＤＭ技術は、また、Ｂ３Ｇ（Ｂｅｙｏｎｄ  ３ｒｄ  Ｇｅｎｅｒａｔｉｏｎ）及び４Ｇ（４ｔｈ  Ｇｅｎｅｒａｔｉｏｎ）移動通信におけるコア技術の一つである。周波数領域において、ＯＦＤＭのマルチパスチャネルは、周波数選択性フェージング特性を示す。このようなフェージングの問題を解決するため、以下の手法がとられる。すなわち、チャネルを、周波数領域内の複数のサブチャネルに分割する。各サブチャネルの周波数スペクトル特性は、略平坦である。各サブチャネルは、互いに直交する。このため、サブチャネルの周波数スペクトルが互いに重なりあう。これによって、周波数スペクトルのリソースを最大限に利用できるようになる。
【０００３】
多入力多出力（Ｍｕｌｔｉｐｌｅ  Ｉｎｐｕｔ  Ｍｕｌｔｉｐｌｅ  Ｏｕｔｐｕｔ：ＭＩＭＯ）技術は、システム容量を増大し得る。さらに、ＭＩＭＯ技術は、伝送性能を向上させ得る。ＭＩＭＯ技術は、ＯＦＤＭ等の他の物理層技術と統合的に利用可能である。このため、ＭＩＭＯ技術は、Ｂ３Ｇ及び４Ｇ移動通信システムの主要技術となっている。ＭＩＭＯ技術に関する研究により、閉ループＭＩＭＯ（ｃｌｏｓｅｄ−ｌｏｏｐ  ＭＩＭＯ）（ａｄａｐｔｉｖｅ  ＭＩＭＯ：自己適応ＭＩＭＯ）は、開ループＭＩＭＯ（ｏｐｅｎ−ｌｏｏｐ  ＭＩＭＯ）より高い利得を有すると、現在広く知られている。これは、主に、以下の理由による。送信装置は、全部又は一部のチャネル情報及び干渉情報を取得する場合、伝送信号を前処理（プリプロセッシング）することが可能である。これにより、チャネル及び干渉の変化に適応することができる。このような利得が、特にマルチユーザＭＩＭＯ（Ｍｕｌｔｉｕｓｅｒ  ＭＩＭＯ：ＭＵ−ＭＩＭＯ）及び協調マルチポイント（Ｃｏｏｐｅｒａｔｉｏｎ  Ｍｕｌｔｉ−Ｐｏｉｎｔ：ＣｏＭＰ）伝送モードに現れる。この２種類のモードでは、干渉が極めて顕著である。このため、更に、送信装置において、伝送信号を前処理することで、干渉を抑制する必要がある。
【０００４】
ＭＩＭＯ通信システムでは、基準信号の設計方式として、２種類の方式がある。
【０００５】
第１の方式によれば、基準信号が物理アンテナポートにおいて定義される。シグナル伝達を利用して、伝送データに対してどのような前処理方式（一般的には、線形プリコーディング方式）を利用したかを、受信端末に通知する。このような基準信号は共通基準信号（Ｃｏｍｍｏｎ  Ｒｅｆｅｒｅｎｃｅ  Ｓｉｇｎａｌ：ＣＲＳ）と称される。共通基準信号は、システム帯域幅全体に分布されるよう設計される。このため、全ての受信端末は、この共通基準信号を利用して、受信端末からアンテナポートまでのチャネルの推定を行うことができる。このような共通基準信号は、測定用基準信号として用いられるとともに、データ復調用基準信号として用いられる。共通基準信号は、帯域幅全体に分布される。このため、共通基準信号は、多くの周波数スペクトルのリソースを利用する。このため、チャネルを極めて正確に推定することができる。しかしながら、このような共通基準信号では、送信装置が、伝送データに対してどのような前処理方式を採用したかを受信端末に更に通知する必要がある。また、送信アンテナの数が多い場合に、オーバーヘッドが高くなる。結果的に、共通基準信号が最適とは言えないこととなる。ＬＴＥ（Ｌｏｎｇ  Ｔｅｒｍ  Ｅｖｏｌｕｔｉｏｎ）システムにおけるＭＩＭＯ送信モード（送信モード７以外）は、このような基準信号方式を利用している。
【０００６】
第２の方式によれば、基準信号自体とデータとに対して、同一方式の前処理を行う。この基準信号は、共通基準信号ではなく、データと同じ帯域幅リソースのみに分布される専用信号である。なぜ専用信号であるかというと、各受信端末毎に、基準信号に対する前処理方式が異なる可能性があるためである。それに加えて、基準信号は、データと同じ方式で前処理されるため、測定用基準信号として用いることができない（測定用基準信号は、本願の検討範囲外）。測定用基準信号は、データの干渉復調に用いられるデータ復調用基準信号のみとして利用される。このため、この第２の方式の基準信号は、データ復調専用基準信号と称される。データ復調専用基準信号は、階層（レイヤ）において定義される（伝送データも、伝送用の階層により搬送される）。これは、データと基準信号とが同じ方式で前処理されるためである。前処理（プリコーディング）では、物理アンテナから階層へのマッピングが行われる。各階層は、複数の物理アンテナにそれぞれ対応する異なる複数の前処理に対応する。現在、ロングタームエボリューションアドバンスト（ＬＴＥ−Ａ：Ｌｏｎｇ  Ｔｅｒｍ  Ｅｖｏｌｕｔｉｏｎ  Ａｄｖａｎｃｅｄ）システムは、このようなデータ復調専用基準信号方式を利用している。
【０００７】
ＬＴＥ−Ａシステムにおいて、データ復調専用基準信号方式を利用することが基本的に規定されている。加えて、階層数が２以下の場合、各リソースブロック（Ｒｅｓｏｕｒｃｅ  Ｂｌｏｃｋ：ＲＢ）におけるデータ復調専用基準信号の総オーバーヘッドが１２個のリソース要素（Ｒｅｓｏｕｒｃｅ  Ｅｌｅｍｅｎｔ：ＲＥ）であることが規定されている。また、階層数が３〜８の場合、各リソースブロックにおけるデータ復調専用基準信号の総オーバーヘッドが２４個のＲＥ以下であることが規定されている。
【０００８】
ＬＴＥ−Ａなどのシステムにおいて、データ復調専用基準信号のオーバーヘッドが基本的に規定された。しかしながら、リソースブロックにおいて当該信号により利用されるリソース要素のロケーションについては、現在では未だ規定されていない。さらに、異なる複数の階層の間の多重化方式について、現在では未だ規定されていない。
【発明の概要】
【発明が解決しようとする課題】
【０００９】
本発明が解決しようとする技術的課題は、リソースブロックにおいてデータ復調専用基準信号が利用するリソース要素のロケーションを決定することに用いられる信号リソース決定方法を提供することにある。
【課題を解決するための手段】
【００１０】
上記技術的課題を解決するために、本発明に係る信号リソース決定方法は、  データ復調専用基準信号を、直交周波数分割多重化（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルにおけるリソース要素（ＲＥ：Ｒｅｓｏｕｒｃｅ  Ｅｌｅｍｅｎｔ）により搬送し、
前記ＯＦＤＭシンボルは、リソースブロック（ＲＢ：Ｒｅｓｏｕｒｃｅ  Ｂｌｏｃｋ）内の非制御チャネル領域に位置し、非共通基準信号を搬送する。
【００１１】
好ましくは、前記非制御チャネル領域に位置し、非共通基準信号を搬送するＯＦＤＭシンボルは、前記ＲＢ内の各サブキャリアの６番目、７番目、１０番目、１１番目、１３番目及び１４番目のＯＦＤＭシンボルを含む。
【００１２】
好ましくは、前記データ復調専用基準信号を搬送するステップの前に、さらに、
異なる階層数に応じて、複数種類への分類を行い、
異なる種類のそれぞれについて、前記データ復調専用基準信号のロケーションを決定する。
【００１３】
好ましくは、前記異なる階層数に応じて分類を行うステップは、
階層数が１〜２の場合は第１類、階層数３以上の場合は第２類となるように、前記異なる階層数に応じて２種類に分類し、又は
階層数が１〜２の場合は第１類、階層数が３〜４の場合は第２類、階層数が５以上の場合は第３類となるように、前記異なる階層数に応じて３種類に分類し、
同一種類の異なる複数の階層における複数の前記データ復調専用基準信号のオーバーヘッドは同じであり、
同一種類の複数の前記データ復調専用基準信号が使用する複数のＲＥの相対的二次元時間周波数ロケーションは、同一関係、移動関係又は対称関係である。
【００１４】
好ましくは、前記異なる階層数に応じて分類を行うステップは、さらに、
前記異なる階層数に応じて２種類に分類し、第１類の全ての階層におけるデータ復調専用基準信号の総オーバーヘッドが１２個のＲＥであり、第２類の全ての階層におけるデータ復調専用基準信号の総オーバーヘッドが２４個のＲＥである、又は
前記異なる階層数に応じて３種類に分類し、第１類の全ての階層におけるデータ復調専用基準信号の総オーバーヘッドが１２個のＲＥであり、第２類の全ての階層におけるデータ復調専用基準信号の総オーバーヘッドが１２個又は２４個のＲＥであり、第３類の全ての階層におけるデータ復調専用基準信号の総オーバーヘッドが２４個のＲＥである。
【００１５】
好ましくは、前記異なる階層数に応じて分類を行うステップは、さらに、
同一種類の異なる複数の階層におけるデータ復調専用基準信号を、符号分割多重化方式を用いて多重化し、
前記符号分割多重化で利用される直交符号がＷａｌｓｈ直交符号であり、前記符号分割多重化の次数が２のべき乗である。
【００１６】
好ましくは、各前記直交符号の長さは、前記符号分割多重化の次数と等しく、各前記直交符号の長さは、使用されるＲＥの数と等しい。
【００１７】
好ましくは、前記異なる階層数に応じて分類を行うステップは、さらに、
実際に使用される階層数が、同一種類における符号分割多重化の次数未満である場合、各階層のデータ復調専用基準信号パワーを増加させる。
【００１８】
好ましくは、前記データ復調専用基準信号のインデックスは、種類及び直交符号インデックスによって一意に決まる階層におけるデータ復調専用基準信号の物理リソースである。
【００１９】
好ましくは、前記異なる階層数に応じて分類を行うステップは、
前記異なる階層数に応じて２種類に分類し、
前記第１類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア、
又は
６番目、７番目、１３番目及び１４番目のＯＦＤＭシンボルの２番目のサブキャリア、
６番目、７番目、１３番目及び１４番目のＯＦＤＭシンボルの７番目のサブキャリア、及び
６番目、７番目、１３番目及び１４番目のＯＦＤＭシンボルの１２番目のサブキャリアであり、
前記第２類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア、
又は
６番目、７番目、１３番目及び１４番目のＯＦＤＭシンボルの１番目のサブキャリア、
６番目、７番目、１３番目及び１４番目のＯＦＤＭシンボルの２番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１１番目のサブキャリア、及び
６番目、７番目、１３番目及び１４番目のＯＦＤＭシンボルの１２番目のサブキャリアである。
【００２０】
好ましくは、前記異なる階層数に応じて分類を行うステップは、
前記異なる階層数に応じて２種類に分類し、
前記第１類において、隣接する２つのＲＥに対して二次（ｔｗｏ−ｏｒｄｅｒ）Ｗａｌｓｈ直交符号を用いて前記符号分割多重化を行い、２つの階層の複数のデータ復調専用基準信号をそれぞれ対応させ、
前記第２類の２４個のＲＥを、それぞれ４個のＲＥを含む６組に分類し、前記６組は、
第１組が、６番目及び７番目のＯＦＤＭシンボルの２番目のサブキャリア、及び６番目及び７番目のＯＦＤＭシンボルの３番目のサブキャリアであり、
第２組が、１３番目及び１４番目のＯＦＤＭシンボルの２番目のサブキャリア、及び１３番目及び１４番目のＯＦＤＭシンボルの３番目のサブキャリアであり、
第３組が、６番目及び７番目のＯＦＤＭシンボルの６番目のサブキャリア、及び６番目及び７番目のＯＦＤＭシンボルの７番目のサブキャリアであり、
第４組が、１３番目及び１４番目のＯＦＤＭシンボルの６番目のサブキャリア、及び１３番目及び１４番目のＯＦＤＭシンボルの７番目のサブキャリアであり、
第５組が、６番目及び７番目のＯＦＤＭシンボルの１０番目のサブキャリア、及び６番目及び７番目のＯＦＤＭシンボルの１１番目のサブキャリアであり、及び
第６組が、１３番目及び１４番目のＯＦＤＭシンボルの１０番目のサブキャリア、及び１３番目及び１４番目のＯＦＤＭシンボルの１１番目のサブキャリアであり、
又は
第１組が、６番目、７番目、１３番目及び１４番目のＯＦＤＭシンボルの２番目のサブキャリアであり、
第２組が、６番目、７番目、１３番目及び１４番目のＯＦＤＭシンボルの３番目のサブキャリアであり、
第３組が、６番目、７番目、１３番目及び１４番目のＯＦＤＭシンボルの６番目のサブキャリアであり、
第４組が、６番目、７番目、１３番目及び１４番目のＯＦＤＭシンボルの７番目のサブキャリアであり、
第５組が、６番目、７番目、１３番目及び１４番目のＯＦＤＭシンボルの１０番目のサブキャリアであり、及び
第６組が、６番目、７番目、１３番目及び１４番目のＯＦＤＭシンボルの１１番目のサブキャリアであり、
もしくは
第１組が、６番目、７番目、１３番目及び１４番目のＯＦＤＭシンボルの１番目のサブキャリアであり、
第２組が、６番目、７番目、１３番目及び１４番目のＯＦＤＭシンボルの２番目のサブキャリアであり、
第３組が、６番目、７番目、１３番目及び１４番目のＯＦＤＭシンボルの６番目のサブキャリアであり、
第４組が、６番目、７番目、１３番目及び１４番目のＯＦＤＭシンボルの７番目のサブキャリアであり、
第５組が、６番目、７番目、１３番目及び１４番目のＯＦＤＭシンボルの１１番目のサブキャリアであり、及び
第６組が、６番目、７番目、１３番目及び１４番目のＯＦＤＭシンボルの１２番目のサブキャリアであり、
第１階層、第３階層、第５階層及び第７階層に対応するデータ復調専用基準信号を、第１組、第４組及び第５組により搬送し、第２階層、第４階層、第６階層及び第８階層に対応するデータ復調専用基準信号を、第２組、第３組及び第６組により搬送し、
第１階層、第３階層、第５階層及び第７階層に対応するデータ復調専用基準信号を、第２組、第３組及び第６組により搬送し、第２階層、第４階層、第６階層及び第８階層に対応するデータ復調専用基準信号を、第１組、第４組及び第５組により搬送し、又は
第１階層、第２階層、第５階層及び第７階層に対応するデータ復調専用基準信号を、第２組、第４組及び第６組により搬送し、第３階層、第４階層、第６階層及び第８階層に対応するデータ復調専用基準信号を、第１組、第３組及び第５組により搬送し、
同一組内の４つの階層に対応する複数のデータ復調専用基準信号に対して、四次（ｆｏｕｒ−ｏｒｄｅｒ）Ｗａｌｓｈ直交符号を用いて前記符号分割多重化を行う。
【００２１】
好ましくは、前記異なる階層数に応じて分類を行うステップは、
前記異なる階層数に応じて２種類に分類し、
前記第１類の、データ復調専用基準信号の前記ＲＢ内でのロケーションは、
６番目、７番目、１３番目及び１４番目のＯＦＤＭシンボルの１番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１１番目のサブキャリアであり、
前記第２類の、データ復調専用基準信号の前記ＲＢ内でのロケーションは、
６番目、７番目、１３番目及び１４番目のＯＦＤＭシンボルの１番目のサブキャリア、
６番目、７番目、１３番目及び１４番目のＯＦＤＭシンボルの２番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１１番目のサブキャリア、及び
６番目、７番目、１３番目及び１４番目のＯＦＤＭシンボルの１２番目のサブキャリアである。
【００２２】
好ましくは、前記異なる階層数に応じて分類を行うステップは、
前記異なる階層数に応じて２種類に分類し、
前記第１類において、隣接する２つのＲＥに対して二次Ｗａｌｓｈ直交符号を用いて前記符号分割多重化を行い、２つの階層の複数のデータ復調専用基準信号をそれぞれ対応させ、
前記第２類における２４個のＲＥを、それぞれ４個のＲＥを含む６組に分類し、前記６組は、
第１組が、６番目及び７番目のＯＦＤＭシンボルの１番目のサブキャリア、及び６番目及び７番目のＯＦＤＭシンボルの２番目のサブキャリアであり、
第２組が、１３番目及び１４番目のＯＦＤＭシンボルの１番目のサブキャリア、及び１３番目及び１４番目のＯＦＤＭシンボルの２番目のサブキャリアであり、
第３組が、６番目及び７番目のＯＦＤＭシンボルの６番目のサブキャリア、及び６番目及び７番目のＯＦＤＭシンボルの７番目のサブキャリアであり、
第４組が、１３番目及び１４番目のＯＦＤＭシンボルの６番目のサブキャリア、及び１３番目及び１４番目のＯＦＤＭシンボルの７番目のサブキャリアであり、
第５組が、６番目及び７番目のＯＦＤＭシンボルの１１番目のサブキャリア、及び６番目及び７番目のＯＦＤＭシンボルの１２番目のサブキャリアであり、及び
第６組が、１３番目及び１４番目のＯＦＤＭシンボルの１１番目のサブキャリア、及び１３番目及び１４番目のＯＦＤＭシンボルの１２番目のサブキャリアであり、
第１階層、第３階層、第５階層及び第７階層に対応するデータ復調専用基準信号を、第１組、第４組及び第５組により搬送し、第２階層、第４階層、第６階層及び第８階層に対応するデータ復調専用基準信号を、第２組、第３組及び第６組により搬送し、又は
第１階層、第３階層、第５階層及び第７階層に対応するデータ復調専用基準信号を、第２組、第３組及び第６組により搬送し、第２階層、第４階層、第６階層及び第８階層に対応するデータ復調専用基準信号を、第１組、第４組及び第５組により搬送し、
同一組内の４つの階層に対応する複数のデータ復調専用基準信号に対して、四次Ｗａｌｓｈ直交符号を用いて前記符号分割多重化を行う。
【００２３】
好ましくは、前記異なる階層数に応じて分類を行うステップは、
前記異なる階層数に応じて３種類に分類し、
前記第１類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリアであり、
前記第２類において、データ復調専用基準信号は、前記ＲＢ内の１２個のＲＥを使用し、前記第２類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリアであり、
前記第２類において、データ復調専用基準信号は、前記ＲＢ内の２４個のＲＥを使用し、前記第２類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリアであり、
前記第３類の、データ復調専用基準信号の前記ＲＢ内でのロケーションは、
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリアである。
【００２４】
好ましくは、前記異なる階層数に応じて分類を行うステップは、
前記異なる階層数に応じて３種類に分類し、
前記第１類において、隣接する２つのＲＥに対して二次Ｗａｌｓｈ直交符号を用いて前記符号分割多重化を行い、２つの階層の複数のデータ復調専用基準信号をそれぞれ対応させ、
前記第２類において、データ復調専用基準信号は、前記ＲＢ内の１２個のＲＥを使用し、
前記１２個のＲＥを、それぞれ２個のＲＥを含む６組に分類し、前記６組は、
第１組が、６番目及び７番目のＯＦＤＭシンボルの２番目のサブキャリアであり、
第２組が、１３番目及び１４番目のＯＦＤＭシンボルの２番目のサブキャリアであり、
第３組が、６番目及び７番目のＯＦＤＭシンボルの６番目のサブキャリアであり、
第４組が、１３番目及び１４番目のＯＦＤＭシンボルの６番目のサブキャリアであり、
第５組が、６番目及び７番目のＯＦＤＭシンボルの１０番目のサブキャリアであり、及び
第６組が、１３番目及び１４番目のＯＦＤＭシンボルの１０番目のサブキャリアであり、
第１階層及び第３階層に対応するデータ復調専用基準信号を、第１組、第４組及び第５組により搬送し、第２階層及び第４階層に対応するデータ復調専用基準信号を、第２組、第３組及び第６組により搬送し、又は
第１階層及び第３階層に対応するデータ復調専用基準信号を、第２組、第３組及び第６組により搬送し、第２階層及び第４階層に対応するデータ復調専用基準信号を、第１組、第４組及び第５組により搬送し、
同一組内の２つの階層に対応する複数のデータ復調専用基準信号に対して、二次Ｗａｌｓｈ直交符号を用いて前記符号分割多重化を行い、
前記第２類において、データ復調専用基準信号は、前記ＲＢ内の２４個のＲＥを使用し、隣接する４つのＲＥに対して四次Ｗａｌｓｈ直交符号を用いて前記符号分割多重化を行い、４つの階層のデータ復調専用基準信号をそれぞれ対応させ、
前記第２類における２４個のＲＥを、それぞれ４個のＲＥを含む６組に分類し、前記６組は、
第１組が、６番目及び７番目のＯＦＤＭシンボルの２番目のサブキャリア、及び６番目及び７番目のＯＦＤＭシンボルの３番目のサブキャリアであり、
第２組が、１３番目及び１４番目のＯＦＤＭシンボルの２番目のサブキャリア、及び１３番目及び１４番目のＯＦＤＭシンボルの３番目のサブキャリアであり、
第３組が、６番目及び７番目のＯＦＤＭシンボルの６番目のサブキャリア、及び６番目及び７番目のＯＦＤＭシンボルの７番目のサブキャリアであり、
第４組が、１３番目及び１４番目のＯＦＤＭシンボルの６番目のサブキャリア、及び１３番目及び１４番目のＯＦＤＭシンボルの７番目のサブキャリアであり、
第５組が、６番目及び７番目のＯＦＤＭシンボルの１０番目のサブキャリア、及び６番目及び７番目のＯＦＤＭシンボルの１１番目のサブキャリアであり、及び
第６組が、１３番目及び１４番目のＯＦＤＭシンボルの１０番目のサブキャリア、及び１３番目及び１４番目のＯＦＤＭシンボルの１１番目のサブキャリアであり、
第１階層、第３階層、第５階層及び第７階層に対応するデータ復調専用基準信号を、第１組、第４組及び第５組により搬送し、第２階層、第４階層、第６階層及び第８階層に対応するデータ復調専用基準信号を、第２組、第３組及び第６組により搬送し、又は
第１階層、第３階層、第５階層及び第７階層に対応するデータ復調専用基準信号を、第２組、第３組及び第６組により搬送し、第２階層、第４階層、第６階層及び第８階層に対応するデータ復調専用基準信号を、第１組、第４組及び第５組により搬送し、
同じ組における４つの階層に対応するデータ復調専用基準信号に対して四次Ｗａｌｓｈ直交符号を用いて前記符号分割多重化を行う。
【発明の効果】
【００２５】
従来技術に比べて、本発明に係る、階層において定義されるデータ復調専用基準信号のリソース決定方法は、利用されるシグナルが少なく、モードが少なく、ハードウェアによって容易に実現可能であり、ＭＵ−ＭＩＭＯ（ＣｏＭＰにおけるＭＵ−ＭＩＭＯを含む）受信端末に対して透過的であり、送信パワーを十分に利用可能である。
【図面の簡単な説明】
【００２６】
【図１】従来技術におけるＲＢ内での共通基準信号及びその制御シグナリングが位置する物理リソースロケーションの模式図である。
【図２（Ａ）】本発明の第１の実施形態における第１類のデータ復調専用基準信号のＲＢ内でのロケーションの模式図である。
【図２（Ｂ）】本発明の第１の実施形態における第２類のデータ復調専用基準信号のＲＢ内でのロケーションの模式図である。
【図３（Ａ）】本発明の第２の実施形態における第１類のデータ復調専用基準信号のＲＢ内でのロケーションの模式図である。
【図３（Ｂ）】本発明の第２の実施形態における第２類のデータ復調専用基準信号のＲＢ内でのロケーションの模式図である。
【図４（Ａ）】本発明の第３の実施形態における第１類のデータ復調専用基準信号のＲＢ内でのロケーションの模式図である。
【図４（Ｂ）】本発明の第３の実施形態における第２類のデータ復調専用基準信号のＲＢ内でのロケーションの模式図である。
【図５（Ａ）】本発明の第４の実施形態における第１類のデータ復調専用基準信号のＲＢ内でのロケーションの模式図である。
【図５（Ｂ）】本発明の第４の実施形態における第２類のデータ復調専用基準信号のＲＢ内でのロケーションの模式図である。
【図５（Ｃ）】本発明の第４の実施形態における第３類のデータ復調専用基準信号のＲＢ内でのロケーションの模式図である。
【図６（Ａ）】本発明の第５の実施形態における第１類のデータ復調専用基準信号のＲＢ内でのロケーションの模式図である。
【図６（Ｂ）】本発明の第５の実施形態における第２類のデータ復調専用基準信号のＲＢ内でのロケーションの模式図である。
【図６（Ｃ）】本発明の第５の実施形態における第３類のデータ復調専用基準信号のＲＢ内でのロケーションの模式図である。
【図７（Ａ）】本発明の第６の実施形態における第１類のデータ復調専用基準信号のＲＢ内でのロケーションの模式図である。
【図７（Ｂ）】本発明の第６の実施形態における第２類のデータ復調専用基準信号のＲＢ内でのロケーションの模式図である。
【発明を実施するための形態】
【００２７】
以下、図面及び実施形態を参照して本発明の実施形態を詳細に説明する。これにより、技術的手段を適用して技術的課題を解決し且つ本発明の技術的効果を達成する実現過程を十分に理解し且つ実現することが可能となる。
【００２８】
図１は、従来のＬＴＥ−Ａにおける１つのＲＢ（Ｒｅｓｏｕｒｃｅ  Ｂｌｏｃｋ）の構造模式図である。図１に示すように、１つの正方形が１つのＲＥ（Ｒｅｓｏｕｒｃｅ  Ｅｌｅｍｅｎｔ）を示す。１つのＲＢは、周波数領域において１２個のサブキャリアを使用し、時間領域において１４個のＯＦＤＭシンボル（Ｎｏｒｍａｌ  ＣＰ）を使用する。ここで、１番目〜４番目のＯＦＤＭシンボルは、制御チャネルの搬送に用いられる可能性がある。このため、１番目〜４番目のＯＦＤＭは、任意のデータ復調専用基準信号を搬送するのには用いられない。
【００２９】
ＬＴＥでは、異なるセルの共通基準信号は、同一のＯＦＤＭシンボルの異なるサブキャリアに移動（周波数ホッピング方式）することができる。このため、ＬＴＥとの下位互換性を担保するために、ＬＴＥ−ＡのＲＢでも、これら共通基準信号及び周波数ホッピング方式が用いられている。これによって、これらＲＥが位置するＯＦＤＭシンボルにおいて、任意のデータ復調専用基準信号を搬送できない。このため、ＲＢ内の制御チャネル領域以外の領域（非制御チャネル領域）に位置し且つ共通基準信号以外の信号（非共通基準信号）を搬送するＯＦＤＭシンボルのＲＥしか、ＬＴＥ−Ａのデータ復調専用基準信号を搬送することができない。例えば、ＲＢ内の６番目、７番目、１０番目、１１番目、１３番目及び１４番目のＯＦＤＭシンボルのＲＥは、ＬＴＥ−Ａのデータ復調専用基準信号を搬送することができる。
【００３０】
本実施形態に係るデータ復調専用基準信号のリソース決定方法によれば、基準信号及び制御シグナリングのオーバーヘッドを低減させるために、異なる階層数毎に分類が行われる。また、データ復調専用基準信号及び基準信号の多重化方法が、異なる種類毎に決定される。本発明の技術的スキームにおいて、階層数に応じて、２種類又は３種類への分類が行われる。２種類に分類される場合、階層数が１〜２の場合は第１類であり、階層数が３以上の場合は第２類である。階層が３種類に分類される場合、階層数が１〜２の場合は第１類であり、階層数が３〜４の場合は第２類であり、階層数が５以上の場合は第３類である。
【００３１】
同一種類の異なる階層における複数のデータ復調専用基準信号のオーバーヘッドは、一致する。同一種類の複数のデータ復調専用基準信号が使用する複数のＲＥの間の相対的二次元時間周波数ロケーションの間には、一定の相互関係がある。
【００３２】
２種類に分類される場合、第１類の全ての階層におけるデータ復調専用基準信号の総オーバーヘッドは、１２個のＲＥである。第２類の全ての階層におけるデータ復調専用基準信号の総オーバーヘッドは、２４個のＲＥである。
【００３３】
３種類に分類される場合、第１類の全ての階層におけるデータ復調専用基準信号の総オーバーヘッドは、１２個のＲＥである。第２類の全ての階層におけるデータ復調専用基準信号の総オーバーヘッドは、１２個又は２４個のＲＥである。第３類の全ての階層におけるデータ復調専用基準信号の総オーバーヘッドは、２４個のＲＥである。
【００３４】
各階層におけるデータ復調専用基準信号は、非制御チャネル領域（４番目のＯＦＤＭシンボルより後のＯＦＤＭシンボルのＲＥ）のみを利用する。各階層におけるデータ復調専用基準信号は、非ＬＴＥ共通基準信号が位置するＯＦＤＭシンボルのＲＥにロケーションする。即ち、各階層におけるデータ復調専用基準信号は、６番目、７番目、１０番目、１１番目、１３番目及び１４番目のＯＦＤＭシンボルのＲＥしか利用することができない。
【００３５】
同じ階層における複数のデータ復調専用基準信号が使用する複数のＲＥの相対的二次元時間周波数ロケーションは、同一関係、移動関係又は対称関係などである。ここで、「同一」とは、二次元時間周波数ロケーションが完全に同一であることを示す。「移動」とは、二次元時間周波数ロケーション全体が時間領域方向又は周波数領域方向に移動することを示す。「対称」とは、二次元時間周波数ロケーションが軸対称、中心対称などの多種の対称関係を有することを示す。
【００３６】
同一種類の異なる階層における複数のデータ復調専用基準信号を、符号分割多重（Ｃｏｄｅ  Ｄｉｖｉｓｉｏｎ  Ｍｕｌｔｉｐｌｅｘｉｎｇ：ＣＤＭ）方式を用いて多重化する。Ｗａｌｓｈ直交符号が利用される。このため、多重化された階層の最大数（ＣＤＭの次数）は、２のべき乗（即ち、２、４又は８）である。各直交符号の長さは、ＣＤＭの次数と等しく、且つ、使用されるＲＥの数と等しい。
【００３７】
実際に使用される階層数が、同一種類における多重化された階層の最大数未満であるとする。この場合、各階層のデータ復調専用基準信号のパワーを増加させることができる。データ復調専用基準信号と同様に、データのパワーも増加する。このため、データ復調専用基準信号パワーの増加量を受信端末に通知する必要がない。
【００３８】
各階層のインデックス（即ち、データ復調専用基準信号のインデックス）は、種類及び直交符号インデックスによって一意に決まる階層におけるデータ復調専用基準信号の物理リソースである。
【００３９】
上記内容のように、データ復調専用基準信号の物理リソースロケーション決定方法及びその多重化方法は、利用されるシグナルが少なく、モードが少なく、ハードウェアによって容易に実現可能である。また、ＭＵ−ＭＩＭＯ（ＣｏＭＰにおけるＭＵ−ＭＩＭＯを含む）受信端末に対して透過的であり、送信パワーを十分に利用可能である。
【００４０】
本発明を更に容易に理解可能とするため、以下、図面を参照して、本発明に係る階層におけるデータ復調専用基準信号の決定方法の具体的な実施形態を示す。
【００４１】
各図面において横座標が時間領域（ＯＦＤＭシンボルインデックス）であり、縦座標が周波数領域（サブキャリアインデックス）である。
【００４２】
第１の実施形態
本実施形態では、階層数に応じて２種類に分類される。階層数が１〜２の場合は第１類であり、階層数が３以上場合は第２類である。
【００４３】
図２（Ａ）は、第１類の、データ復調専用基準信号のＲＢ内でのロケーションの模式図である。図２（Ａ）に示すように、第１類において、全てのデータ復調専用基準信号は、ＲＢ内の１２個のＲＥを使用する。データ復調専用基準信号のＲＢ内でのロケーションは、以下の座標（ｘ，ｙ）で表すことができる。
（６，２）（７，２）（１３，２）（１４，２）
（６，６）（７，６）（１３，６）（１４，６）
（６，１０）（７，１０）（１３，１０）（１４，１０）
【００４４】
ここで、ｘは、ＲＢ内のＯＦＤＭシンボルインデックスを示す。ｙは、ＲＢ内のサブキャリアインデックスを示す。以下、各実施形態において特に説明しない限り、ＲＥのＲＢ内でのロケーションを、座標（ｘ，ｙ）の形式で示す。
【００４５】
あるいは、第１類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア。
【００４６】
なお、本発明において特に説明しない限り、ＯＦＤＭ及びサブキャリア番号を用いて、データ復調専用基準信号のＲＢ内でのロケーションを示す。時間領域（ＯＦＤＭシンボルインデックス）も、周波数領域（サブキャリアインデックス）も、１からカウントする。
【００４７】
図２（Ｂ）は、第２類の、データ復調専用基準信号のＲＢ内でのロケーションの模式図である。図２（Ｂ）に示すように、第２類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，２）（７，２）（１３，２）（１４，２）
（６，３）（７，３）（１３，３）（１４，３）
（６，６）（７，６）（１３，６）（１４，６）
（６，７）（７，７）（１３，７）（１４，７）
（６，１０）（７，１０）（１３，１０）（１４，１０）
（６，１１）（７，１１）（１３，１１）（１４，１１）
【００４８】
あるいは、第２類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア。
【００４９】
第１類において、隣接する２つのＲＥに対して二次（ｔｗｏ−ｏｒｄｅｒ）Ｗａｌｓｈ直交符号を用いてＣＤＭ多重化を行う。隣接する２つのＲＥは、２つの階層におけるデータ復調専用基準信号にそれぞれ対応する。
【００５０】
第２類において、２４個のＲＥを６組に分類する。各組には４個のＲＥが含まれる。これらの６組のＲＢ内でのロケーションは、以下の座標（ｘ，ｙ）の形式で表すことができる。
第１組：（６，２）（７，２）（６，３）（７，３）、
第２組：（１３，２）（１４，２）（１３，３）（１４，３）、
第３組：（６，６）（７，６）（６，７）（７，７）、
第４組：（１３，６）（１４，６）（１３，７）（１４，７）、
第５組：（６，１０）（７，１０）（６，１１）（７，１１）、及び
第６組：（１３，１０）（１４，１０）（１３，１１）（１４，１１）。
【００５１】
あるいは、２４個のＲＥから分類された６組は、以下の形式で表すことができる。
第１組：６番目及び７番目のＯＦＤＭシンボルの２番目のサブキャリア、及び６番目及び７番目のＯＦＤＭシンボルの３番目のサブキャリア、
第２組：１３番目及び１４番目のＯＦＤＭシンボルの２番目のサブキャリア、及び１３番目及び１４番目のＯＦＤＭシンボルの３番目のサブキャリア、
第３組：６番目及び７番目のＯＦＤＭシンボルの６番目のサブキャリア、及び６番目及び７番目のＯＦＤＭシンボルの７番目のサブキャリア、
第４組：１３番目及び１４番目のＯＦＤＭシンボルの６番目のサブキャリア、及び１３番目及び１４番目のＯＦＤＭシンボルの７番目のサブキャリア、
第５組：６番目及び７番目のＯＦＤＭシンボルの１０番目のサブキャリア、及び６番目及び７番目のＯＦＤＭシンボルの１１番目のサブキャリア、及び
第６組：１３番目及び１４番目のＯＦＤＭシンボルの１０番目のサブキャリア、及び１３番目及び１４番目のＯＦＤＭシンボルの１１番目のサブキャリア。
【００５２】
ここで、図２（Ａ）及び図２（Ｂ）に示すように、第１階層、第３階層、第５階層及び第７階層（又は、第２階層、第４階層、第６階層及び第８階層）に対応するデータ復調専用基準信号は、第１組、第４組及び第５組により搬送される。また、第１階層、第３階層、第５階層及び第７階層（又は、第２階層、第４階層、第６階層及び第８階層）に対応するデータ復調専用基準信号に対して、同一組内で、四次（ｆｏｕｒ−ｏｒｄｅｒ）Ｗａｌｓｈ直交符号を用いてＣＤＭ多重化を行う。
【００５３】
第２階層、第４階層、第６階層及び第８階層（又は、第１階層、第３階層、第５階層及び第７階層）に対応するデータ復調専用基準信号は、第２組、第３組及び第６組により搬送される。また、第２階層、第４階層、第６階層及び第８階層（又は、第１階層、第３階層、第５階層及び第７階層）に対応するデータ復調専用基準信号に対して、同一組内で、四次Ｗａｌｓｈ直交符号を用いてＣＤＭ多重化を行う。
【００５４】
第２の実施形態
階層数に応じて２種類に分類される。階層数が１〜２の場合は第１類であり、階層数が３以上の場合は第２類である。
【００５５】
図３（Ａ）は、第１類の、データ復調専用基準信号のＲＢ内でのロケーションの模式図である。図３（Ａ）に示すように、第１類において、全てのデータ復調専用基準信号は、ＲＢ内の１２個のＲＥを使用する。データ復調専用基準信号のＲＢ内でのロケーションは、以下の座標（ｘ，ｙ）の形式で表すことができる。
（６，１）（７，１）（１３，１）（１４，１）
（６，６）（７，６）（１３，６）（１４，６）
（６，１１）（７，１１）（１３，１１）（１４，１１）
【００５６】
あるいは、第１類のデータ復調専用基準信号のＲＢ内でのロケーションを、以下のように表すこともできる。
６番目、７番目、１３番目及び１４番目のＯＦＤＭシンボルの１番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１１番目のサブキャリア。
【００５７】
図３（Ｂ）は、第２類の、データ復調専用基準信号のＲＢ内でのロケーションの模式図である。図３（Ｂ）に示すように、第２類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，１）（７，１）（１３，１）（１４，１）
（６，２）（７，２）（１３，２）（１４，２）
（６，６）（７，６）（１３，６）（１４，６）
（６，７）（７，７）（１３，７）（１４，７）
（６，１１）（７，１１）（１３，１１）（１４，１１）
（６，１２）（７，１２）（１３，１２）（１４，１２）
【００５８】
あるいは、第２類のデータ復調専用基準信号のＲＢ内でのロケーションを、以下のように表すこともできる。
６番目、７番目、１３番目及び１４番目のＯＦＤＭシンボルの１番目のサブキャリア、
６番目、７番目、１３番目及び１４番目のＯＦＤＭシンボルの２番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１１番目のサブキャリア、及び
６番目、７番目、１３番目及び１４番目のＯＦＤＭシンボルの１２番目のサブキャリア。
【００５９】
第１類において、隣接する２つのＲＥに対して二次Ｗａｌｓｈ直交符号を用いてＣＤＭ多重化を行う。隣接する２つのＲＥは、２つの階層におけるデータ復調専用基準信号にそれぞれ対応する。
【００６０】
第２類において、２４個のＲＥを６組に分類する。各組には４個のＲＥが含まれる。これらの６組のＲＢ内でのロケーションは、以下の座標（ｘ，ｙ）の形式で表すことができる。
第１組：（６，１）（７，１）（６，２）（７，２）、
第２組：（１３，１）（１４，１）（１３，２）（１４，２）、
第３組：（６，６）（７，６）（６，７）（７，７）、
第４組：（１３，６）（１４，６）（１３，７）（１４，７）、
第５組：（６，１１）（７，１１）（６，１２）（７，１２）、及び
第６組：（１３，１１）（１４，１１）（１３，１２）（１４，１２）。
【００６１】
あるいは、２４個のＲＥから分類された６組は、以下の形式で表すことができる。
第１組：６番目及び７番目のＯＦＤＭシンボルの１番目のサブキャリア、及び６番目及び７番目のＯＦＤＭシンボルの２番目のサブキャリア、
第２組：１３番目及び１４番目のＯＦＤＭシンボルの１番目のサブキャリア、及び１３番目及び１４番目のＯＦＤＭシンボルの２番目のサブキャリア、
第３組：６番目及び７番目のＯＦＤＭシンボルの６番目のサブキャリア、及び６番目及び７番目のＯＦＤＭシンボルの７番目のサブキャリア、
第４組：１３番目及び１４番目のＯＦＤＭシンボルの６番目のサブキャリア、及び１３番目及び１４番目のＯＦＤＭシンボルの７番目のサブキャリア、
第５組：６番目及び７番目のＯＦＤＭシンボルの１１番目のサブキャリア、及び６番目及び７番目のＯＦＤＭシンボルの１２番目のサブキャリア、及び
第６組：１３番目及び１４番目のＯＦＤＭシンボルの１１番目のサブキャリア、及び１３番目及び１４番目のＯＦＤＭシンボルの１２番目のサブキャリア。
【００６２】
ここで、図３（Ａ）及び図３（Ｂ）に示すように、第１階層、第３階層、第５階層及び第７階層（又は、第２階層、第４階層、第６階層及び第８階層）に対応するデータ復調専用基準信号は、第１組、第４組及び第５組により搬送される。また、第１階層、第３階層、第５階層及び第７階層（又は、第２階層、第４階層、第６階層及び第８階層）に対応するデータ復調専用基準信号に対して、同一組内で、四次Ｗａｌｓｈ直交符号を用いてＣＤＭ多重化を行う。
【００６３】
第２階層、第４階層、第６階層及び第８階層（又は、第１階層、第３階層、第５階層及び第７階層）に対応するデータ復調専用基準信号は、第２組、第３組及び第６組により搬送される。また、第２階層、第４階層、第６階層及び第８階層（又は、第１階層、第３階層、第５階層及び第７階層に対応するデータ復調専用基準信号に対して、同一組内で、四次Ｗａｌｓｈ直交符号を用いてＣＤＭ多重化を行う。
【００６４】
第３の実施形態
階層数に応じて２種類に分類される。階層数が１〜２の場合は第１類であり、階層数が３以上の場合は第２類である。
【００６５】
図４（Ａ）は、第１類の、データ復調専用基準信号のＲＢ内でのロケーションの模式図である。図４（Ａ）に示すように、第１類において、全てのデータ復調専用基準信号は、ＲＢ内の１２個のＲＥを使用する。データ復調専用基準信号のＲＢ内でのロケーションは、以下の座標（ｘ，ｙ）の形式で表すことができる。
（６，２）（７，２）（１３，２）（１４，２）
（６，６）（７，６）（１３，６）（１４，６）
（６，１０）（７，１０）（１３，１０）（１４，１０）
【００６６】
あるいは、第１類の、データ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア。
【００６７】
図４（Ｂ）は、第２類の、データ復調専用基準信号のＲＢ内でのロケーションの模式図である。図４（Ｂ）に示すように、第２類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，２）（７，２）（１３，２）（１４，２）
（６，３）（７，３）（１３，３）（１４，３）
（６，６）（７，６）（１３，６）（１４，６）
（６，７）（７，７）（１３，７）（１４，７）
（６，１０）（７，１０）（１３，１０）（１４，１０）
（６，１１）（７，１１）（１３，１１）（１４，１１）
【００６８】
あるいは、第２類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア。
【００６９】
第１類において、隣接する２つのＲＥに対して二次Ｗａｌｓｈ直交符号を用いてＣＤＭ多重化を行う。隣接する２つのＲＥは、２つの階層におけるデータ復調専用基準信号にそれぞれ対応する。
【００７０】
第２類において、２４個のＲＥを６組に分類する。各組には４個のＲＥが含まれる。これらの６組のＲＢ内でのロケーションは、以下の座標（ｘ，ｙ）の形式で表すことができる。
第１組：（６，２）（７，２）（１３，２）（１４，２）、
第２組：（６，３）（７，３）（１３，３）（１４，３）、
第３組：（６，６）（７，６）（１３，６）（１４，６）、
第４組：（６，７）（７，７）（１３，７）（１４，７）、
第５組：（６，１０）（７，１０）（１３，１０）（１４，１０）、及び
第６組：（６，１１）（７，１１）（１３，１１）（１４，１１）。
【００７１】
あるいは、２４個のＲＥから分類される６組は、以下の形式で表すことができる。
第１組：６番目、７番目、１３番目及び１４番目のＯＦＤＭシンボルの２番目のサブキャリア、
第２組：６番目、７番目、１３番目及び１４番目のＯＦＤＭシンボルの３番目のサブキャリア、
第３組：６番目、７番目、１３番目及び１４番目のＯＦＤＭシンボルの６番目のサブキャリア、
第４組：６番目、７番目、１３番目及び１４番目のＯＦＤＭシンボルの７番目のサブキャリア、
第５組：６番目、７番目、１３番目及び１４番目のＯＦＤＭシンボルの１０番目のサブキャリア、及び
第６組：６番目、７番目、１３番目及び１４番目のＯＦＤＭシンボルの１１番目のサブキャリア。
【００７２】
あるいは、換言すれば、２４個のＲＥにおいて、同一のサブキャリア内の４個のＲＥがグループ化される。
【００７３】
ここで、図４（Ａ）及び図４（Ｂ）に示すように、第１階層、第３階層、第５階層及び第７階層（又は、第２階層、第４階層、第６階層及び第８階層）に対応するデータ復調専用基準信号は、第１組、第３組及び第５組により搬送される。また、第１階層、第３階層、第５階層及び第７階層（又は、第２階層、第４階層、第６階層及び第８階層）に対応するデータ復調専用基準信号に対して、同一組内で、四次Ｗａｌｓｈ直交符号を用いてＣＤＭ多重化を行う。
【００７４】
第２階層、第４階層、第６階層及び第８階層（又は、第１階層、第３階層、第５階層及び第７階層）に対応するデータ復調専用基準信号を、第２組、第４組及び第６組により搬送される。また、第２階層、第４階層、第６階層及び第８階層（又は、第１階層、第３階層、第５階層及び第７階層）に対応するデータ復調専用基準信号に対して、同一組内で、四次Ｗａｌｓｈ直交符号を用いてＣＤＭ多重化を行う。ここで、図４（Ｂ）において、２種類のハッチングを用いてデータ復調専用基準信号のロケーションを示す。一方は、第１階層、第３階層、第５階層及び第７階層に対応するデータ復調専用基準信号のロケーションを示す。他方は、第２階層、第４階層、第６階層及び第８階層に対応するデータ復調専用基準信号のロケーションを示す。
【００７５】
第４の実施形態
階層数に応じて３種類に分類される。階層数が１〜２の場合は第１類であり、階層数が３〜４の場合は第２類であり、階層数が５以上の場合は第３類である。
【００７６】
図５（Ａ）は、第１類の、データ復調専用基準信号のＲＢ内でのロケーションの模式図である。図５（Ａ）に示すように、第１類において、全てのデータ復調専用基準信号は、ＲＢ内の１２個のＲＥを使用する。データ復調専用基準信号のＲＢ内でのロケーションは、以下の座標（ｘ，ｙ）の形式で表すことができる。
（６，２）（７，２）（１３，２）（１４，２）
（６，６）（７，６）（１３，６）（１４，６）
（６，１０）（７，１０）（１３，１０）（１４，１０）
【００７７】
あるいは、第１類の、データ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア。
【００７８】
図５（Ｂ）は、第２類の、データ復調専用基準信号のＲＢ内でのロケーションの模式図である。図５（Ｂ）に示すように、第２類において、全てのデータ復調専用基準信号は、ＲＢ内の１２個のＲＥを使用する。データ復調専用基準信号のＲＢ内でのロケーションは、以下の座標（ｘ，ｙ）の形式で表すことができる。
（６，２）（７，２）（１３，２）（１４，２）
（６，６）（７，６）（１３，６）（１４，６）
（６，１０）（７，１０）（１３，１０）（１４，１０）
【００７９】
あるいは、第２類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア。
【００８０】
図５（Ｃ）は、第３類の、データ復調専用基準信号のＲＢ内でのロケーションの模式図である。図５（Ｃ）に示すように、第３類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，２）（７，２）（１３，２）（１４，２）
（６，３）（７，３）（１３，３）（１４，３）
（６，６）（７，６）（１３，６）（１４，６）
（６，７）（７，７）（１３，７）（１４，７）
（６，１０）（７，１０）（１３，１０）（１４，１０）
（６，１１）（７，１１）（１３，１１）（１４，１１）
【００８１】
あるいは、第３類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア。
【００８２】
第１類において、隣接する２つのＲＥに対して二次Ｗａｌｓｈ直交符号を用いてＣＤＭ多重化を行う。隣接する２つのＲＥは、２つの階層におけるデータ復調専用基準信号にそれぞれ対応する。
【００８３】
第２類において、１２個のＲＥを６組に分類する。各組には２個のＲＥが含まれる。これらの６組のＲＢ内でのロケーションは、以下の座標（ｘ，ｙ）の形式で表すことができる。
第１組：（６，２）（７，２）、
第２組：（１３，２）（１４，２）、
第３組：（６，６）（７，６）、
第４組：（１３，６）（１４，６）、
第５組：（６，１０）（７，１０）、及び
第６組：（１３，１０）（１４，１０）。
【００８４】
あるいは、１２個のＲＥから分類される６組は、以下の形式で表すことができる。
第１組：６番目及び７番目のＯＦＤＭシンボルの２番目のサブキャリア、
第２組：１３番目及び１４番目のＯＦＤＭシンボルの２番目のサブキャリア、
第３組：６番目及び７番目のＯＦＤＭシンボルの６番目のサブキャリア、
第４組：１３番目及び１４番目のＯＦＤＭシンボルの６番目のサブキャリア、
第５組：６番目及び７番目のＯＦＤＭシンボルの１０番目のサブキャリア、及び
第６組：１３番目及び１４番目のＯＦＤＭシンボルの１０番目のサブキャリア。
【００８５】
ここで、第１階層及び第３階層（又は、第２階層及び第４階層）に対応するデータ復調専用基準信号は、第１組、第４組及び第５組により搬送される。また、第１階層及び第３階層（又は、第２階層及び第４階層）に対応するデータ復調専用基準信号に対して、同一組内で、二次Ｗａｌｓｈ直交符号を用いてＣＤＭ多重化を行う。
【００８６】
第２階層及び第４階層（又は、第１階層及び第３階層）に対応するデータ復調専用基準信号は、第２組、第３組及び第６組により搬送される。また、第２階層及び第４階層（又は、第１階層及び第３階層）に対応するデータ復調専用基準信号に対して、同一組内で、二次Ｗａｌｓｈ直交符号を用いてＣＤＭ多重化を行う。
【００８７】
第３類において、２４個のＲＥを６組に分類する。各組には４個のＲＥが含まれる。これらの６組のＲＢ内でのロケーションは、以下の座標（ｘ，ｙ）の形式で表すことができる。
第１組：（６，２）（７，２）（６，３）（７，３）、
第２組：（１３，２）（１４，２）（１３，３）（１４，３）、
第３組：（６，６）（７，６）（６，７）（７，７）、
第４組：（１３，６）（１４，６）（１３，７）（１４，７）、
第５組：（６，１０）（７，１０）（６，１１）（７，１１）、及び
第６組：（１３，１０）（１４，１０）（１３，１１）（１４，１１）。
【００８８】
あるいは、２４個のＲＥから分類される６組は、以下の形式で表すことができる。
第１組：６番目及び７番目のＯＦＤＭシンボルの２番目のサブキャリア、及び６番目及び７番目のＯＦＤＭシンボルの３番目のサブキャリア、
第２組：１３番目及び１４番目のＯＦＤＭシンボルの２番目のサブキャリア、及び１３番目及び１４番目のＯＦＤＭシンボルの３番目のサブキャリア、
第３組：６番目及び７番目のＯＦＤＭシンボルの６番目のサブキャリア、及び６番目及び７番目のＯＦＤＭシンボルの７番目のサブキャリア、
第４組：１３番目及び１４番目のＯＦＤＭシンボルの６番目のサブキャリア、及び１３番目及び１４番目のＯＦＤＭシンボルの７番目のサブキャリア、
第５組：６番目及び７番目のＯＦＤＭシンボルの１０番目のサブキャリア、及び６番目及び７番目のＯＦＤＭシンボルの１１番目のサブキャリア、及び
第６組：１３番目及び１４番目のＯＦＤＭシンボルの１０番目のサブキャリア、及び１３番目及び１４番目のＯＦＤＭシンボルの１１番目のサブキャリア。
【００８９】
ここで、図５（Ａ）、図５（Ｂ）及び図５（Ｃ）に示すように、第１階層、第３階層、第５階層及び第７階層（又は、第２階層、第４階層、第６階層及び第８階層）に対応するデータ復調専用基準信号は、第１組、第４組及び第５組により搬送される。また、第１階層、第３階層、第５階層及び第７階層（又は、第２階層、第４階層、第６階層及び第８階層）に対応するデータ復調専用基準信号に対して、同一組内で、四次Ｗａｌｓｈ直交符号を用いてＣＤＭ多重化を行う。
【００９０】
第２階層、第４階層、第６階層及び第８階層（又は、第１階層、第３階層、第５階層及び第７階層）に対応するデータ復調専用基準信号は、第２組、第３組及び第６組により搬送される。また、第２階層、第４階層、第６階層及び第８階層（又は、第１階層、第３階層、第５階層及び第７階層）に対応するデータ復調専用基準信号に対して、同一組内で、四次Ｗａｌｓｈ直交符号を用いてＣＤＭ多重化を行う。
【００９１】
第５の実施形態
階層数に応じて３種類に分類される。階層数が１〜２の場合は第１類であり、階層数が３〜４の場合は第２類であり、総階層数が５以上の場合は第３類である。
【００９２】
図６（Ａ）は、第１類の、データ復調専用基準信号のＲＢ内でのロケーションの模式図である。図６（Ａ）に示すように、第１類において、全てのデータ復調専用基準信号は、ＲＢ内の１２個のＲＥを使用する。データ復調専用基準信号のＲＢ内でのロケーションは、以下の座標（ｘ，ｙ）の形式で表すことができる。
（６，２）（７，２）（１３，２）（１４，２）
（６，６）（７，６）（１３，６）（１４，６）
（６，１０）（７，１０）（１３，１０）（１４，１０）
【００９３】
あるいは、第１類の、データ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの６番目のサブキャリア、及び
６番目、７番目、１３番目及び１４番目のＯＦＤＭシンボルの１０番目のサブキャリア。
【００９４】
図６（Ｂ）は、第２類の、データ復調専用基準信号のＲＢ内でのロケーションの模式図である。図６（Ｂ）に示すように、第２類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，２）（７，２）（１３，２）（１４，２）
（６，３）（７，３）（１３，３）（１４，３）
（６，６）（７，６）（１３，６）（１４，６）
（６，７）（７，７）（１３，７）（１４，７）
（６，１０）（７，１０）（１３，１０）（１４，１０）
（６，１１）（７，１１）（１３，１１）（１４，１１）
【００９５】
あるいは、第２類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア。
【００９６】
図６（Ｃ）は、第３類の、データ復調専用基準信号のＲＢ内でのロケーションの模式図である。図６（Ｃ）に示すように、第３類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，２）（７，２）（１３，２）（１４，２）
（６，３）（７，３）（１３，３）（１４，３）
（６，６）（７，６）（１３，６）（１４，６）
（６，７）（７，７）（１３，７）（１４，７）
（６，１０）（７，１０）（１３，１０）（１４，１０）
（６，１１）（７，１１）（１３，１１）（１４，１１）
【００９７】
あるいは、第３類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの３番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１０番目のサブキャリア、及び
６番目、７番目、１３番目及び１４番目のＯＦＤＭシンボルの１１番目のサブキャリア。
【００９８】
第１類において、隣接する２つのＲＥに対して二次Ｗａｌｓｈ直交符号を用いてＣＤＭ多重化を行う。隣接する２つのＲＥは、２つの階層におけるデータ復調専用基準信号にそれぞれ対応する。
【００９９】
第２類において、隣接する４つのＲＥに対して四次Ｗａｌｓｈ直交符号を用いてＣＤＭ多重化を行う。隣接する４つのＲＥは、４つの階層におけるデータ復調専用基準信号にそれぞれ対応する。
【０１００】
第３類において、２４個のＲＥを６組に分類する。各組には４個のＲＥが含まれる。これらの６組のＲＢ内でのロケーションは、以下の座標（ｘ，ｙ）の形式で表すことができる。
第１組：（６，２）（７，２）（６，３）（７，３）、
第２組：（１３，２）（１４，２）（１３，３）（１４，３）、
第３組：（６，６）（７，６）（６，７）（７，７）、
第４組：（１３，６）（１４，６）（１３，７）（１４，７）、
第５組：（６，１０）（７，１０）（６，１１）（７，１１）、及び
第６組：（１３，１０）（１４，１０）（１３，１１）（１４，１１）。
【０１０１】
あるいは、２４個のＲＥから分類される６組は、以下の形式で表すことができる。
第１組：６番目及び７番目のＯＦＤＭシンボルの２番目のサブキャリア、及び６番目及び７番目のＯＦＤＭシンボルの３番目のサブキャリア、
第２組：１３番目及び１４番目のＯＦＤＭシンボルの２番目のサブキャリア、及び１３番目及び１４番目のＯＦＤＭシンボルの３番目のサブキャリア、
第３組：６番目及び７番目のＯＦＤＭシンボルの６番目のサブキャリア、及び６番目及び７番目のＯＦＤＭシンボルの７番目のサブキャリア、
第４組：１３番目及び１４番目のＯＦＤＭシンボルの６番目のサブキャリア、及び１３番目及び１４番目のＯＦＤＭシンボルの７番目のサブキャリア、
第５組：６番目及び７番目のＯＦＤＭシンボルの１０番目のサブキャリア、及び６番目及び７番目のＯＦＤＭシンボルの１１番目のサブキャリア、及び
第６組：１３番目及び１４番目のＯＦＤＭシンボルの１０番目のサブキャリア、及び１３番目及び１４番目のＯＦＤＭシンボルの１１番目のサブキャリア。
【０１０２】
ここで、図６（Ａ）、図６（Ｂ）及び図６（Ｃ）に示すように、第１階層、第３階層、第５階層及び第７階層（又は、第２階層、第４階層、第６階層及び第８階層）に対応するデータ復調専用基準信号は、第１組、第４組及び第５組により搬送される。また、第１階層、第３階層、第５階層及び第７階層（又は、第２階層、第４階層、第６階層及び第８階層）に対応するデータ復調専用基準信号に対して、同一組内で、四次Ｗａｌｓｈ直交符号を用いてＣＤＭ多重化を行う。
【０１０３】
第２階層、第４階層、第６階層及び第８階層（又は、第１階層、第３階層、第５階層及び第７階層）に対応するデータ復調専用基準信号は、第２組、第３組及び第６組により搬送される。また、第２階層、第４階層、第６階層及び第８階層（又は、第１階層、第３階層、第５階層及び第７階層）に対応するデータ復調専用基準信号に対して、同一組内で、四次Ｗａｌｓｈ直交符号を用いてＣＤＭ多重化を行う。
【０１０４】
第６の実施形態
本実施形態において、階層数に応じて２種類に分類される。階層数が１〜２の場合は第１類であり、階層数が３以上の場合は第２類である。
【０１０５】
図７（Ａ）は、第１類の、データ復調専用基準信号のＲＢ内でのロケーションの模式図である。図７（Ａ）に示すように、第１類において、全てのデータ復調専用基準信号は、ＲＢ内の１２個のＲＥを使用する。データ復調専用基準信号のＲＢ内でのロケーションは、以下の座標（ｘ，ｙ）の形式で表すことができる。
（６，２）（７，２）（１３，２）（１４，２）
（６，７）（７，７）（１３，７）（１４，７）
（６，１２）（７，１２）（１３，１２）（１４，１２）
【０１０６】
ここで、ｘは、ＲＢ内のＯＦＤＭシンボルインデックスを示す。ｙは、ＲＢ内のサブキャリアインデックスを示す。
【０１０７】
あるいは、第１類のデータ復調専用基準信号のＲＢ内でのロケーションを、以下のように表すこともできる。
６番目、７番目、１３番目及び１４番目のＯＦＤＭシンボルの２番目のサブキャリア、
６番目、７番目、１３番目及び１４番目のＯＦＤＭシンボルの７番目のサブキャリア、及び
６番目、７番目、１３番目及び１４番目のＯＦＤＭシンボルの１２番目のサブキャリア。
【０１０８】
図７（Ｂ）は、第２類の、データ復調専用基準信号のＲＢ内でのロケーションの模式図である。図７（Ｂ）に示すように、第２類において、全てのデータ復調専用基準信号は、ＲＢ内の２４個のＲＥを使用する。データ復調専用基準信号のＲＢ内でのロケーションは、以下の座標（ｘ，ｙ）の形式で表すことができる。
（６，１）（７，１）（１３，１）（１４，１）
（６，２）（７，２）（１３，２）（１４，２）
（６，６）（７，６）（１３，６）（１４，６）
（６，７）（７，７）（１３，７）（１４，７）
（６，１１）（７，１１）（１３，１１）（１４，１１）
（６，１２）（７，１２）（１３，１２）（１４，１２）
【０１０９】
あるいは、第２類のデータ復調専用基準信号のＲＢ内でのロケーションを、以下のように表すこともできる。
６番目、７番目、１３番目及び１４番目のＯＦＤＭシンボルの１番目のサブキャリア、
６番目、７番目、１３番目及び１４番目のＯＦＤＭシンボルの２番目のサブキャリア、
６番目、７番目、１３番目及び１４番目のＯＦＤＭシンボルの６番目のサブキャリア、
６番目、７番目、１３番目及び１４番目のＯＦＤＭシンボルの７番目のサブキャリア、
６番目、７番目、１３番目及び１４番目のＯＦＤＭシンボルの１１番目のサブキャリア、及び
６番目、７番目、１３番目及び１４番目のＯＦＤＭシンボルの１２番目のサブキャリア。
【０１１０】
第１類において、隣接する２つのＲＥに対して二次Ｗａｌｓｈ直交符号を用いてＣＤＭ多重化を行う。隣接する２つのＲＥは、２つの階層におけるデータ復調専用基準信号にそれぞれ対応する。
【０１１１】
第２類において、２４個のＲＥを６組に分類する。各組には４個のＲＥが含まれる。これらの６組のＲＢ内でのロケーションは、以下の座標（ｘ，ｙ）の形式で表すことができる。
第１組：（６，１）（７，１）（１３，１）（１４，１）、
第２組：（６，２）（７，２）（１３，２）（１４，２）、
第３組：（６，６）（７，６）（１３，６）（１４，６）、
第４組：（６，７）（７，７）（１３，７）（１４，７）、
第５組：（６，１１）（７，１１）（１３，１１）（１４，１１）、及び
第６組：（６，１２）（７，１２）（１３，１２）（１４，１２）。
【０１１２】
あるいは、２４個のＲＥから分類された６組は、以下の形式で表すことができる。
第１組：６番目、７番目、１３番目及び１４番目のＯＦＤＭシンボルの１番目のサブキャリア、
第２組：６番目、７番目、１３番目及び１４番目のＯＦＤＭシンボルの２番目のサブキャリア、
第３組：６番目、７番目、１３番目及び１４番目のＯＦＤＭシンボルの６番目のサブキャリア、
第４組：６番目、７番目、１３番目及び１４番目のＯＦＤＭシンボルの７番目のサブキャリア、
第５組：６番目、７番目、１３番目及び１４番目のＯＦＤＭシンボルの１１番目のサブキャリア、及び
第６組：６番目、７番目、１３番目及び１４番目のＯＦＤＭシンボルの１２番目のサブキャリア。
【０１１３】
ここで、図７（Ａ）及び図７（Ｂ）に示すように、第１階層、第２階層、第５階層及び第７階層に対応するデータ復調専用基準信号は、第２組、第４組及び第６組により搬送される。また、第１階層、第２階層、第５階層及び第７階層に対応するデータ復調専用基準信号に対して、同一組内で四次Ｗａｌｓｈ直交符号を用いてＣＤＭ多重化を行う。
【０１１４】
第３階層、第４階層、第６階層及び第８階層に対応するデータ復調専用基準信号は、第１組、第３組及び第５組により搬送される。また、第３階層、第４階層、第６階層及び第８階層に対応するデータ復調専用基準信号に対して、同一組内で四次Ｗａｌｓｈ直交符号を用いてＣＤＭ多重化を行う。
【０１１５】
以上、本発明の実施形態を開示したが、前記説明した内容は、本発明を理解しやすくするための実施形態にすぎず、本発明を限定することに用いられるものではない。本分野の当業者は、本発明の主旨精神と範囲から逸脱しない限り、実施形態及び細部を多様に変更及び変形し得る。本発明に適用されるシステムは、ＬＴＥ−Ａシステムに限定されるものではない。本発明の特許範囲は、特許請求の範囲で記載された内容を基準とする。
【０１１６】
本発明に係る階層において定義されるデータ復調専用基準信号のリソース決定方法は、利用されるシグナルが少なく、モードが少なく、ハードウェアによって容易に実現可能であり、ＭＵ−ＭＩＭＯ（ＣｏＭＰにおけるＭＵ−ＭＩＭＯを含む）受信端末に対して透過的であり、送信パワーを十分に利用可能である。
【図１】
2013502110.tif 000003
【図２（Ａ）】
2013502110.tif 000004
【図２（Ｂ）】
2013502110.tif 000005
【図３（Ａ）】
2013502110.tif 000006
【図３（Ｂ）】
2013502110.tif 000007
【図４（Ａ）】
2013502110.tif 000008
【図４（Ｂ）】
2013502110.tif 000009
【図５（Ａ）】
2013502110.tif 000010
【図５（Ｂ）】
2013502110.tif 000011
【図５（Ｃ）】
2013502110.tif 000012
【図６（Ａ）】
2013502110.tif 000013
【図６（Ｂ）】
2013502110.tif 000014
【図６（Ｃ）】
2013502110.tif 000015
【図７（Ａ）】
2013502110.tif 000016
【図７（Ｂ）】
2013502110.tif 000017
【国際調査報告】
2013502110.tif 000018
2013502110.tif 000019
2013502110.tif 000020
2013502110.tif 000021